(57)【要約】【課題】ディスプレイへの取り付けが容易なディスプレイ保護部材を提供する。【解決手段】ディスプレイ保護部材１は、ガラスシート１０と、第１の粘接着層１１と、第２の粘接着層１２と、樹脂製の保護シート１３とからなる積層体１５を備える。ガラスシート１０の厚みは、３００μｍ以下である。第１の粘接着層１１は、ガラスシート１０の一主面１０ａ上に設けられている。第２の粘接着層１２は、ガラスシート１０の他主面１０ｂの上に設けられている。第２の粘接着層１２は、ガラスシート１０をディスプレイ２０に粘接着させるものである。保護シート１３は、第１の粘接着層１１によりガラスシート１０に粘接着している。積層体１５の剛性がガラスシート１０の剛性よりも高い。【選択図】図１
2014032222.tif 000002
【特許請求の範囲】
【請求項１】
厚みが３００μｍ以下であるガラスシートと、
前記ガラスシートの一主面上に設けられた第１の粘接着層と、
前記ガラスシートの他主面の上に設けられており、前記ガラスシートをディスプレイに粘接着させる第２の粘接着層と、
前記第１の粘接着層により前記ガラスシートに粘接着している樹脂製の保護シートと、
からなる積層体を備え、
前記積層体の剛性が前記ガラスシートの剛性よりも高い、ディスプレイ保護部材。
【請求項２】
前記保護シートの剛性が前記ガラスシートの剛性よりも高い、請求項１に記載のディスプレイ保護部材。
【請求項３】
前記第２の粘接着層と前記ガラスシートとの間に配されており、前記ガラスシートに貼付された樹脂シートをさらに備える、請求項１または２に記載のディスプレイ保護部材。
【請求項４】
前記ガラスシートの一主面は、前記保護シートに支持されていない状態において、凸面である、請求項１〜３のいずれかに記載のディスプレイ保護部材。
【請求項５】
前記ガラスシートの他主面は、前記保護シートに支持されていない状態において、凸面である、請求項１〜３のいずれかに記載のディスプレイ保護部材。
【請求項６】
前記ガラスシートの前記一主面上に薄膜が形成されている、請求項４または５に記載のディスプレイ保護部材。
【請求項７】
請求項１〜６のいずれか一項に記載のディスプレイ保護部材と、
ディスプレイに粘接着された前記ディスプレイ保護部材の前記ガラスシートを剥離するための剥離部材と、
を備え、
前記剥離部材は、基材と、前記基材の一主面上に配された第３の粘接着層とを有し、
前記第３の粘接着層の前記ガラスシートに対する粘接着力が、前記第２の粘接着層の前記ディスプレイに対する粘接着力よりも高い、ディスプレイ保護セット。
【請求項８】
請求項１〜６のいずれか一項に記載のディスプレイ保護部材を用いたディスプレイ保護用ガラスシートの貼付方法であって、
前記第２の粘接着層をディスプレイに粘接着させる工程と、
前記保護シートを前記第１の粘接着層と共に前記ガラスシートから剥離する工程と、
を備える、ディスプレイ保護用ガラスシートの貼付方法。
【請求項９】
請求項８に記載のディスプレイ保護用ガラスシートの貼付方法によって、ディスプレイに粘接着したガラスシートの剥離方法であって、
基材と前記基材の一主面上に配された第３の粘接着層を有した剥離部材を準備する工程と、
前記剥離部材の第３の粘接着層を前記ガラスシートのディスプレイとは反対側の表面に粘接着させる工程と、
前記ガラスシートと粘接着させた前記剥離部材をディスプレイから剥離させる工程と、
を備え、
前記第３の粘接着層の前記ガラスシートに対する粘接着力は、前記第２の粘接着層のディスプレイに対する粘接着力よりも高い、
ディスプレイ保護用ガラスシートの剥離方法。
【発明の詳細な説明】
【技術分野】
【０００１】
本発明は、ディスプレイ保護部材、ディスプレイ保護セット、ディスプレイ保護用ガラスシートの貼付方法及びディスプレイ保護用ガラスシートの剥離方法に関する。
【背景技術】
【０００２】
近年、スマートフォンやタブレット型パーソナルコンピューターが急速に普及していく中、これらのようなディスプレイの表示領域を保護するためのディスプレイ保護部材が種々提案されている。従来、ディスプレイの表面上に樹脂フィルムを配することによりディスプレイの表面を保護するのが一般的である。しかしながら、樹脂フィルムは耐擦傷性に乏しい。このため、保護フィルムとしての樹脂フィルムに擦傷が生じやすく、ディスプレイの視認性を良好に保持するためには、樹脂フィルムを定期的に交換する必要がある。
【０００３】
このような問題に鑑み、特許文献１においては、厚さが０．３ｍｍ未満のガラスフィルムの片面の上に剥離紙用シリコーンの硬化物からなる層を積層した着脱可能な保護部材が提案されている。特許文献１に記載の保護部材は、表面がガラスにより構成されているため、優れた耐擦傷性を有している。
【先行技術文献】
【特許文献】
【０００４】
【特許文献１】特許第４８８２５３５号公報
【発明の概要】
【発明が解決しようとする課題】
【０００５】
ディスプレイの上に保護部材を取り付けるに際しては、ディスプレイと保護部材との間に空気や異物が介在しないようにする必要がある。このため、一般的に、保護部材を湾曲させた状態で、保護部材の一方側端部から他方側端部に向けてディスプレイに粘着させていく。厚みが０．３ｍｍ以下のガラスフィルムは可撓性を有するものの破損しやすいため、特許文献１に記載の保護部材には、ディスプレイへの取り付けが困難であるという問題がある。
【０００６】
本発明の主な目的は、ディスプレイへの取り付けが容易なディスプレイ保護部材を提供することにある。
【課題を解決するための手段】
【０００７】
本発明に係るディスプレイ保護部材は、ガラスシートと、第１の粘接着層と、第２の粘接着層と、樹脂製の保護シートとからなる積層体を備える。ガラスシートの厚みは、３００μｍ以下である。第１の粘接着層は、ガラスシートの一主面上に設けられている。第２の粘接着層は、ガラスシートの他主面の上に設けられている。第２の粘接着層は、ガラスシートをディスプレイに粘接着させるものである。保護シートは、第１の粘接着層によりガラスシートに粘接着している。積層体の剛性は、ガラスシートよりも高い。
【０００８】
本発明に係るディスプレイ保護部材では、保護シートの剛性がガラスシートの剛性よりも高いことが好ましい。
【０００９】
本発明に係るディスプレイ保護部材は、第２の粘接着層とガラスシートとの間に配されており、ガラスシートに貼付された樹脂シートをさらに備えることが好ましい。
【００１０】
ガラスシートの一主面は、保護シートに支持されていない状態において、凸面であってもよい。
【００１１】
ガラスシートの他主面は、保護シートに支持されていない状態において、凸面であってもよい。
【００１２】
ガラスシートの一主面上に薄膜が形成されていてもよい。
【００１３】
本発明に係るディスプレイ保護セットは、上記ディスプレイ保護部材と、剥離部材とを備える。剥離部材は、ディスプレイに粘接着されたディスプレイ保護部材のガラスシートを剥離するための部材である。剥離部材は、基材と、第３の粘接着層とを有する。第３の粘接着層は、基材の一主面上に配されている。第３の粘接着層のガラスシートに対する粘接着力が、第２の粘接着層のディスプレイに対する粘接着力よりも高い。
【００１４】
本発明に係るディスプレイ保護用ガラスシートの貼付方法では、第２の粘接着層をディスプレイに粘接着させる。保護シートを第１の粘接着層と共にガラスシートから剥離する。
【００１５】
本発明に係るディスプレイ保護用ガラスシートの剥離方法は、ディスプレイに粘接着されたディスプレイ保護用ガラスシートを剥離する方法である。本発明に係るディスプレイ保護用ガラスシートの剥離方法では、基材と、基材の一主面上に配された第３の粘接着層を有した剥離部材を準備する。剥離部材の第３の粘接着層をガラスシートのディスプレイとは反対側の表面に粘接着させる。次に、ガラスシートと粘接着させた剥離部材をディスプレイから剥離させる。ここで、第３の粘接着層のガラスシートに対する粘接着力は、第２の粘接着層のディスプレイに対する粘接着力よりも高い。
【発明の効果】
【００１６】
本発明によれば、ディスプレイへの取り付けが容易なディスプレイ保護部材を提供することができる。
【図面の簡単な説明】
【００１７】
【図１】本発明の一実施形態におけるディスプレイ保護部材の略図的断面図である。
【図２】本発明の一実施形態におけるディスプレイの保護方法を説明するための模式的側面図である。
【図３】本発明の一実施形態におけるディスプレイの保護方法を説明するための模式的側面図である。
【図４】本発明の一実施形態におけるディスプレイの保護方法を説明するための模式的側面図である。
【図５】本発明の一実施形態におけるディスプレイの保護方法を説明するための模式的側面図である。
【図６】本発明の一実施形態におけるディスプレイからの保護部材の剥離方法を説明するための模式的側面図である。
【図７】本発明の一実施形態におけるディスプレイからの保護部材の剥離方法を説明するための模式的側面図である。
【図８】変形例におけるディスプレイ保護部材の略図的断面図である。
【発明を実施するための形態】
【００１８】
以下、本発明を実施した好ましい形態の一例について説明する。但し、下記の実施形態は、単なる例示である。本発明は、下記の実施形態に何ら限定されない。
【００１９】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２０】
図１は、本実施形態におけるディスプレイ保護部材の略図的断面図である。図１に示されるディスプレイ保護部材１は、例えば、スマートフォン、タブレットパーソナルコンピューターなどのモバイル通信端末やコンピューターなどのディスプレイの表示領域を保護するための部材である。
【００２１】
ディスプレイ保護部材１は、ガラスシート１０を備えている。このガラスシート１０がディスプレイの表示領域を保護する機能を実質的に担っている。このため、通常、ガラスシート１０は、表示領域と実質的に同じ大きさか、表示領域よりも大きく設けられている。
【００２２】
ガラスシート１０の厚みは、３００μｍ以下であり、２００μｍ以下であることがより好ましく、１００μｍ以下であることがさらに好ましい。但し、ガラスシート１０が薄すぎると、ガラスシート１０の剛性が低くなりすぎる場合がある。従って、ガラスシート１０の厚みは、１μｍ以上であることが好ましく、５μｍ以上であることがより好ましい。
【００２３】
ガラスシート１０を構成するガラスの組成は特に限定されない。ガラスシート１０は、例えば、珪酸塩系ガラス、硼珪酸塩径ガラス等により構成することができる。
【００２４】
ガラスシート１０の端面及び角部は、エッチングなどにより面取り状またはＲ面取り状とされていることが好ましい。
【００２５】
ガラスシート１０は、第１の主面１０ａと、第２の主面１０ｂとを有する。第１の主面１０ａの上には、第１の粘接着層１１が設けられている。ここで、「粘接着層」とは、部材を粘接着させる層のことをいう。「粘接着」とは、粘着及び接着の少なくとも一方をいう。すなわち、「粘接着させる」には、粘着させる、接着させる、及び粘着させると共に接着させる、が含まれる。
【００２６】
第１の粘接着層１１により、ガラスシート１０の第１の主面１０ａに樹脂製の第１の保護シート１３が粘接着している。第１の保護シート１３は、ガラスシート１０と同じ面積か、ガラスシート１０よりも大面積に設けられている。
【００２７】
ガラスシート１０の第２の主面１０ｂの上には、第２の粘接着層１２が設けられている。この第２の粘接着層１２によりガラスシート１０がディスプレイに粘接着される。
【００２８】
第２の粘接着層１２の上には、第２の保護シート１４が設けられている。この第２の保護シート１４は、ディスプレイ保護部材１の使用前に、第２の粘接着層１２に他の部材が粘接着しないようにするための部材である。
【００２９】
次に、図２〜図５を主として参照しながら、ディスプレイ保護部材１を用いたディスプレイへのガラスシートの貼付方法について説明する。
【００３０】
まず、ディスプレイ保護部材１から第２の保護シート１４を剥離し、第２の粘接着層１２を露出させる。次に、図２に示されるように、第２の粘接着層１２をディスプレイ２０の表示領域に粘接着させる。この際に、第２の粘接着層１２とディスプレイ２０との間に気泡等が入らないように、第１及び第２の粘接着層１１，１２、ガラスシート１０及び第１の保護シート１３からなる積層体１５を、ガラスシート１０の第２の主面１０ｂが凸状となり、第１の主面１０ａが凹状となるように湾曲させ、第２の粘接着層１２の一方側の端部から他方側に向けて順に粘接着させていく。図３に積層体１５が粘接着されたディスプレイ２０の模式的側面図を示す。
【００３１】
次に、図４に示されるように、ディスプレイ２０に粘接着している積層体１５から、第１の保護シート１３を剥離する。ここで、第１の粘接着層１１のガラスシート１０に対する粘接着力よりも第１の粘接着層１１の第１の保護シート１３に対する粘接着力の方が高い。また、第１の粘接着層１１のガラスシート１０に対する粘接着力が、第２の粘接着層１２のディスプレイ２０及びガラスシート１０のそれぞれに対する粘接着力よりも低い。このため、第１の保護シート１３と共に、第１の粘接着層１１もガラスシート１０から剥離する。その結果、図５に示されるように、ディスプレイ２０の表示領域が、第２の粘接着層１２により粘接着したガラスシート１０により保護された状態となる。
【００３２】
上述のように、積層体１５をディスプレイ２０に取り付ける際には、積層体１５を湾曲させる。この際にガラスシート１０が破損する虞がある。
【００３３】
ここで、ディスプレイ保護部材１では、積層体１５の剛性がガラスシート１０の剛性よりも高い。よって、積層体１５に外力が作用しても局所的な変形を抑制でき、ガラスシート１０が破損しにくい。よって、本実施形態のディスプレイ保護部材１は、ディスプレイへの取り付けが容易である。
【００３４】
ガラスシート１０の破損をより効果的に抑制する観点からは、積層体１５の剛性がガラスシート１０の剛性の１．１倍以上であることが好ましく、１．２５倍以上であることがより好ましい。但し、積層体１５の剛性が高すぎると、積層体１５が変形しにくくなりすぎるため、ディスプレイへの取り付けがかえって困難となる場合もある。従って、積層体１５の剛性がガラスシート１０の剛性の２０倍以下であることが好ましく、１０倍以下であることがより好ましい。
【００３５】
また、積層体１５の剛性をガラスシート１０の剛性よりも高くする観点からは、第１の保護シート１３の剛性がガラスシート１０も剛性よりも高いことが好ましい。第１の保護シート１３の剛性がガラスシート１０の剛性の１倍以上であることが好ましく、１．２倍以上であることがより好ましい。但し、第１の保護シート１３の剛性が高すぎると、積層体１５が変形しにくくなりすぎるため、かえってディスプレイへの取り付けが困難となる場合もある。従って、第１の保護シート１３の剛性がガラスシート１０の剛性の２０倍以下であることが好ましく、１０倍以下であることがより好ましい。
【００３６】
また、ガラスシート１０の破損をより効果的に抑制する観点からは、ガラスシート１０の第２の主面１０ｂは、ガラスシート１０が第１の保護シート１３に支持されていない状態において凸面であることが好ましい。この場合、積層体１５に外力が作用しても局所的な変形を抑制できるためである。
【００３７】
一方、ガラスシート１０の第１の主面１０ａが、ガラスシート１０が第１の保護シート１３に支持されていない状態において凸面である場合は、ディスプレイ２０に粘接着されたガラスシート１０の第１の主面１０ａに圧縮応力が加わる。従って、第１の主面１０ａの強度を向上することができる。
【００３８】
なお、ガラスシート１０の主面１０ａ、１０ｂを、ガラスシート１０が第１の保護シート１３に支持されていない状態において凸面または凹面にするために、ガラスシート１０の少なくとも一方の主面の上に薄膜が形成されていてもよい。また、薄膜として、反射抑制膜などを形成することにより、ディスプレイ保護部材１に反射抑制効果を付与することができる。
【００３９】
次に、ディスプレイ２０に粘接着されたガラスシート１０の剥離方法について、主として図６及び図７を参照しながら説明する。
【００４０】
図１に示されるディスプレイ保護部材１は、図６に示される剥離部材３０と共に、ディスプレイ保護セットを構成している。剥離部材３０は、ディスプレイ２０に粘接着されたディスプレイ保護部材１のガラスシート１０を剥離するための部材である。
【００４１】
剥離部材３０は、基材３１と、第３の粘接着層３２とを備える。基材３１は、可撓性を有することが好ましい。基材３１は、例えば樹脂シート等により構成することができる。第３の粘接着層３２は、基材３１の一主面上に配されている。第３の粘接着層３２は、ガラスシート１０と実質的に同じ大きさか、ガラスシート１０よりも大面積に設けられている。
【００４２】
ガラスシート１０の剥離に際しては、まず、剥離部材３０の第３の粘接着層３２をガラスシート１０のディスプレイ２０とは反対側の表面に粘接着させる。次に、ガラスシート１０を粘接着させた基材３１をディスプレイ２０から剥離させる。具体的には、図７に示されるように、基材３１の一端部をディスプレイ２０から離れる方向に引っ張ることにより、ガラスシート１０を粘接着させた基材３１をディスプレイ２０から剥離する。
【００４３】
ここで、第３の粘接着層３２のガラスシート１０に対する粘接着力は、第２の粘接着層１２のディスプレイ２０に対する粘接着力よりも高い。このため、基材３１と共に、第３の粘接着層３２、ガラスシート１０及び第２の粘接着層１２をディスプレイ２０から剥離させることができる。
【００４４】
（変形例）
図８は、変形例におけるディスプレイ保護部材の略図的断面図である。図８に示されるように、本変形例に係るディスプレイ保護部材２は、第２の粘接着層１２とガラスシート１０との間に配されており、ガラスシート１０に貼付された樹脂シート１７をさらに備える。この樹脂シート１７を設けることにより、ガラスシート１０の破損がさらに抑制することができる。
【符号の説明】
【００４５】
１，２…ディスプレイ保護部材
１０…ガラスシート
１０ａ…第１の主面
１０ｂ…第２の主面
１１…第１の粘接着層
１２…第２の粘接着層
１３…第１の保護シート
１４…第２の保護シート
１５…積層体
１７…樹脂シート
２０…ディスプレイ
３０…剥離部材
３１…基材
３２…第３の粘接着層
【図１】
2014032222.tif 000003
【図２】
2014032222.tif 000004
【図３】
2014032222.tif 000005
【図４】
2014032222.tif 000006
【図５】
2014032222.tif 000007
【図６】
2014032222.tif 000008
【図７】
2014032222.tif 000009
【図８】
2014032222.tif 000010